(57)【特許請求の範囲】
【請求項１】
チャネル空間特性情報を取得するための方法であって、
第１基地局により、チャネル空間特性要求と測定されるユーザ装置（ＵＥ）のアイデンティティを、複数の第２基地局に別々に送信するステップであって、前記チャネル空間特性要求を受信した後、各第２基地局は、前記測定されるＵＥのチャネル空間特性情報の測定を開始し、前記第２基地局は、前記測定されるＵＥにより送信されたアップリンクサウンディング信号を監視することにより、前記測定されるＵＥの前記チャネル空間特性情報を測定する、ステップと、
前記複数の第２基地局により送信されたチャネル空間特性指示情報を、前記第１基地局により受信するステップであって、前記チャネル空間特性指示情報は、前記測定されるＵＥのチャネル空間特性情報を搬送し、前記チャネル空間特性情報は、前記第２基地局のビームが前記測定されるＵＥに到達する時に生成される角度情報と空間強度情報を具備する、ステップと、
を具備することを特徴とするチャネル空間特性情報を取得するための方法。
【請求項２】
前記複数の第２基地局により送信されたチャネル空間特性指示情報を、前記第１基地局により受信する前記ステップの後に、前記方法は、
前記第１基地局が、前記第２基地局により送信された前記チャネル空間特性指示情報と空間チャネル品質情報とにしたがって、第２基地局が前記測定されるＵＥのためのデータ送信を実行する必要があると判定する場合、前記チャネル空間特性指示情報と前記空間チャネル品質情報とにしたがって、前記第１基地局により、前記複数の第２基地局から少なくとも１つの第２基地局をデータ送信基地局として選択するステップ
をさらに具備することを特徴とする請求項１に記載の方法。
【請求項３】
前記チャネル空間特性指示情報と前記空間チャネル品質情報とにしたがって、前記第１基地局により、前記複数の第２基地局から少なくとも１つの第２基地局をデータ送信基地局として選択する前記ステップは、
前記複数の第２基地局から、前記第１基地局により、チャネル空間特性指示情報が見通し線であるとともに空間チャネル品質パラメータがプリセットしきい値より大きい第２基地局を前記データ送信基地局として選択するステップ
を具備することを特徴とする請求項２に記載の方法。
【請求項４】
前記チャネル空間特性指示情報は、チャネル空間ドミネートパス特性指示情報であることを特徴とする請求項１から３のいずれか一項に記載の方法。
【請求項５】
前記第２基地局の前記ビームが前記測定されるＵＥに到達する時に生成される前記角度情報は、前記第２基地局の前記ビームが前記測定されるＵＥに到達する時に生成される水平角度情報と、前記第２基地局の前記ビームが前記測定されるＵＥに到達する時に生成される垂直角度情報と、を具備することを特徴とする請求項４に記載の方法。
【請求項６】
前記空間強度情報は、空間強度レベル情報、又は空間強度がプリセットしきい値より大きいかどうかに関する比較情報を具備することを特徴とする請求項４に記載の方法。
【請求項７】
チャネル空間特性情報を取得するための方法であって、
第２基地局により、第１基地局により送信されたチャネル空間特性要求と測定されるユーザ装置（ＵＥ）のアイデンティティを受信するステップと、
前記第２基地局により、前記測定されるＵＥにより送信されたアップリンクサウンディング信号を監視することにより、前記測定されるＵＥの前記チャネル空間特性情報を測定するステップと、
前記第２基地局により、チャネル空間特性指示情報を前記第１基地局に送信するステップであって、前記チャネル空間特性指示情報は、前記測定されるＵＥの前記チャネル空間特性情報を搬送する、送信するステップと、
を具備し、
前記チャネル空間特性情報は、前記第２基地局のビームが前記測定されるＵＥに到達する時に生成される角度情報と空間強度情報を具備することを特徴とするチャネル空間特性情報を取得するための方法。
【請求項８】
前記チャネル空間特性指示情報は、チャネル空間ドミネートパス特性指示情報であることを特徴とする請求項７に記載の方法。
【請求項９】
前記第２基地局の前記ビームが前記測定されるＵＥに到達する時に生成される前記角度情報は、前記第２基地局の前記ビームが前記測定されるＵＥに到達する時に生成される水平角度情報と、前記第２基地局の前記ビームが前記測定されるＵＥに到達する時に生成される垂直角度情報と、を具備することを特徴とする請求項８に記載の方法。
【請求項１０】
前記空間強度情報は、空間強度レベル情報、又は空間強度がプリセットしきい値より大きいかどうかに関する比較情報を具備することを特徴とする請求項８に記載の方法。
【請求項１１】
基地局であって、前記基地局は、第１基地局であり、
チャネル空間特性要求と測定されるユーザ装置（ＵＥ）のアイデンティティを複数の第２基地局に別々に送信するように構成されている送信モジュールであって、前記チャネル空間特性要求を受信した後、各第２基地局は、前記測定されるＵＥのチャネル空間特性情報の測定を開始し、前記第２基地局は、前記測定されるＵＥにより送信されたアップリンクサウンディング信号を監視することにより、前記測定されるＵＥの前記チャネル空間特性情報を測定する、送信モジュールと、
前記複数の第２基地局により送信されたチャネル空間特性指示情報を受信するように構成されている受信モジュールであって、前記チャネル空間特性指示情報は、前記測定されるＵＥのチャネル空間特性情報を搬送し、前記チャネル空間特性情報は、前記第２基地局のビームが前記測定されるＵＥに到達する時に生成される角度情報と空間強度情報を具備する、受信モジュールと、
を具備することを特徴とする基地局。
【請求項１２】
前記第２基地局により送信された前記チャネル空間特性指示情報と空間チャネル品質情報とにしたがって、第２基地局が前記測定されるＵＥのためのデータ送信を実行する必要があると判定する場合、前記チャネル空間特性指示情報と前記空間チャネル品質情報とにしたがって、前記複数の第２基地局から少なくとも１つの第２基地局をデータ送信基地局として選択するように構成されている判定モジュール
をさらに具備することを特徴とする請求項１１に記載の基地局。
【請求項１３】
前記判定モジュールは、前記複数の第２基地局から、チャネル空間特性指示情報が見通し線であるとともに空間チャネル品質パラメータがプリセットしきい値より大きい第２基地局を前記データ送信基地局として選択するように特に構成されていることを特徴とする請求項１２に記載の基地局。
【請求項１４】
前記チャネル空間特性指示情報は、チャネル空間ドミネートパス特性指示情報であることを特徴とする請求項１１から１３のいずれか一項に記載の基地局。
【請求項１５】
前記第２基地局の前記ビームが前記測定されるＵＥに到達する時に生成される前記角度情報は、前記第２基地局の前記ビームが前記測定されるＵＥに到達する時に生成される水平角度情報と、前記第２基地局の前記ビームが前記測定されるＵＥに到達する時に生成される垂直角度情報とを具備することを特徴とする請求項１４に記載の基地局。
【請求項１６】
前記空間強度情報は、空間強度レベル情報、又は空間強度がプリセットしきい値より大きいかどうかに関する比較情報を具備することを特徴とする請求項１４に記載の基地局。
【請求項１７】
基地局であって、前記基地局は、第２基地局であり、
第１基地局により送信されたチャネル空間特性要求と測定されるユーザ装置（ＵＥ）のアイデンティティを受信するように構成されている受信モジュールと、
前記測定されるＵＥにより送信されたアップリンクサウンディング信号を監視することにより、前記測定されるＵＥのチャネル空間特性情報を測定するように構成されている測定モジュールと、
チャネル空間特性指示情報を前記第１基地局に送信するように構成されている送信モジュールであって、前記チャネル空間特性指示情報は、前記測定されるＵＥの前記チャネル空間特性情報を搬送する、送信モジュールと、
を具備し、
前記チャネル空間特性情報は、前記第２基地局のビームが前記測定されるＵＥに到達する時に生成される角度情報と空間強度情報を具備することを特徴とする基地局。
【請求項１８】
前記チャネル空間特性指示情報は、チャネル空間ドミネートパス特性指示情報であることを特徴とする請求項１７に記載の基地局。
【請求項１９】
前記第２基地局の前記ビームが前記測定されるＵＥに到達する時に生成される前記角度情報は、前記第２基地局の前記ビームが前記測定されるＵＥに到達する時に生成される水平角度情報と、前記第２基地局の前記ビームが前記測定されるＵＥに到達する時に生成される垂直角度情報と、を具備することを特徴とする請求項１８に記載の基地局。
【請求項２０】
前記空間強度情報は、空間強度レベル情報、又は空間強度がプリセットしきい値より大きいかどうかに関する比較情報を具備することを特徴とする請求項１８に記載の基地局。
【請求項２１】
基地局であって、前記基地局は、第１基地局であり、
チャネル空間特性要求と測定されるユーザ装置（ＵＥ）のアイデンティティを複数の第２基地局に別々に送信するように構成されている送信器であって、前記チャネル空間特性要求を受信した後、各第２基地局は、前記測定されるＵＥのチャネル空間特性情報の測定を開始し、前記第２基地局は、前記測定されるＵＥにより送信されたアップリンクサウンディング信号を監視することにより、前記測定されるＵＥの前記チャネル空間特性情報を測定する、送信器と、
前記複数の第２基地局により送信されたチャネル空間特性指示情報を受信するように構成されている受信器であって、前記チャネル空間特性指示情報は、前記測定されるＵＥのチャネル空間特性情報を搬送し、前記チャネル空間特性情報は、前記第２基地局のビームが前記測定されるＵＥに到達する時に生成される角度情報と空間強度情報を具備する、受信器と、
を具備することを特徴とする基地局。
【請求項２２】
前記第２基地局により送信された前記チャネル空間特性指示情報と空間チャネル品質情報とにしたがって、第２基地局が前記測定されるＵＥのためのデータ送信を実行する必要があると判定する場合、前記チャネル空間特性指示情報と前記空間チャネル品質情報とにしたがって、前記複数の第２基地局から少なくとも１つの第２基地局をデータ送信基地局として選択するように構成されているプロセッサ
をさらに具備することを特徴とする請求項２１に記載の基地局。
【請求項２３】
前記プロセッサは、前記複数の第２基地局から、チャネル空間特性指示情報が見通し線であるとともに空間チャネル品質パラメータがプリセットしきい値より大きい第２基地局を前記データ送信基地局として選択するように特に構成されていることを特徴とする請求項２２に記載の基地局。
【請求項２４】
前記チャネル空間特性指示情報は、チャネル空間ドミネートパス特性指示情報であることを特徴とする請求項２１から２３のいずれか一項に記載の基地局。
【請求項２５】
前記第２基地局の前記ビームが前記測定されるＵＥに到達する時に生成される前記角度情報は、前記第２基地局の前記ビームが前記測定されるＵＥに到達する時に生成される水平角度情報と、前記第２基地局の前記ビームが前記測定されるＵＥに到達する時に生成される垂直角度情報と、を具備することを特徴とする請求項２４に記載の基地局。
【請求項２６】
前記空間強度情報は、空間強度レベル情報、又は空間強度がプリセットしきい値より大きいかどうかに関する比較情報を具備することを特徴とする請求項２４に記載の基地局。
【請求項２７】
基地局であって、前記基地局は、第２基地局であり、
第１基地局により送信されたチャネル空間特性要求と測定されるユーザ装置（ＵＥ）のアイデンティティを受信するように構成されている受信器と、
前記測定されるＵＥにより送信されたアップリンクサウンディング信号を監視することにより、前記測定されるＵＥのチャネル空間特性情報を測定するように構成されているプロセッサと、
チャネル空間特性指示情報を前記第１基地局に送信するように構成されている送信器であって、前記チャネル空間特性指示情報は、前記測定されるＵＥの前記チャネル空間特性情報を搬送する送信器と、
を具備し、
前記チャネル空間特性情報は、前記第２基地局のビームが前記測定されるＵＥに到達する時に生成される角度情報と空間強度情報を具備する
ことを特徴とする基地局。
【請求項２８】
前記チャネル空間特性指示情報は、チャネル空間ドミネートパス特性指示情報であることを特徴とする請求項２７に記載の基地局。
【請求項２９】
前記第２基地局の前記ビームが前記測定されるＵＥに到達する時に生成される前記角度情報は、前記第２基地局の前記ビームが前記測定されるＵＥに到達する時に生成される水平角度情報と、前記第２基地局の前記ビームが前記測定されるＵＥに到達する時に生成される垂直角度情報と、を具備することを特徴とする請求項２８に記載の基地局。
【請求項３０】
前記空間強度情報は、空間強度レベル情報、又は空間強度がプリセットしきい値より大きいかどうかに関する比較情報を具備することを特徴とする請求項２８に記載の基地局。
【発明の詳細な説明】
【技術分野】
【０００１】
本発明の実施形態は、通信技術に関連し、特にチャネル空間特性情報を取得するための方法及び基地局に関する。
【背景技術】
【０００２】
大規模多入力多出力(Massive Multiple Input Multiple Output, 略してMassive MIMO)技術の導入に伴い、将来的に基地局アンテナの量が急激な増加が見込まれ、したがって、基地局は、より強力なマルチパス識別能力、及びより正確で狭いビーム伝送を有する。
【０００３】
研究によれば、Massive MIMO技術は、移動通信システムに導入することができ、移動通信システムは、基地局が異なる角度でマルチパスをよりよく識別できるという利点を利用して、データ送信を効果的に実行できることが分かった。
【０００４】
しかし、ユーザ装置(User Equipment, 略してUE)と共同して通信する複数の基地局におけるシステムにMassive MIMO技術を適用するためには、比較的高精度のチャネル空間特性を知る必要がある。しかし、チャネル空間特性は、従来技術を用いては知ることができない。
【発明の概要】
【課題を解決するための手段】
【０００５】
本発明の実施形態は、従来技術を用いてチャネル空間特性を知ることができないという技術的課題を解決するための、チャネル空間特性情報を取得するための方法及び基地局を提供する。
【０００６】
本発明の実施形態の第１の態様は、
第１基地局により、チャネル空間特性要求と測定されるユーザ装置（ＵＥ）のアイデンティティを、複数の第２基地局に別々に送信するステップであって、前記チャネル空間特性要求は、前記測定されるＵＥ上でチャネル空間特性情報測定を実行するように前記第２基地局に指示するために使用される、ステップと、
前記複数の第２基地局により送信されたチャネル空間特性指示情報を、前記第１基地局により受信するステップであって、前記チャネル空間特性指示情報は、前記測定されるＵＥのチャネル空間特性情報を搬送し、前記チャネル空間特性情報は、前記第２基地局のビームが前記測定されるＵＥに到達する時に生成される角度情報と空間強度情報を含む、ステップと、
を含むチャネル空間特性情報を取得するための方法を提供する。
【０００７】
第１の態様に関連し、第１の態様の第１の可能な実装において、前記複数の第２基地局により送信されたチャネル空間特性指示情報を、前記第１基地局により受信する前記ステップの後に、前記方法は、
前記第１基地局が、前記第２基地局により送信された前記チャネル空間特性指示情報と空間チャネル品質情報とにしたがって、第２基地局が前記測定されるＵＥのためのデータ送信を実行する必要があると判定する場合、前記チャネル空間特性指示情報と前記空間チャネル品質情報とにしたがって、前記第１基地局により、前記複数の第２基地局から少なくとも１つの第２基地局をデータ送信基地局として選択するステップ
をさらに含む。
【０００８】
第１の態様の第１の可能な実装に関連し、第１の態様の第２の可能な実装において、前記チャネル空間特性指示情報と前記空間チャネル品質情報とにしたがって、前記第１基地局により、前記複数の第２基地局から少なくとも１つの第２基地局をデータ送信基地局として選択する前記ステップは、
前記複数の第２基地局から、前記第１基地局により、チャネル空間特性指示情報が見通し線であるとともに空間チャネル品質パラメータがプリセットしきい値より大きい第２基地局を前記データ送信基地局として選択するステップ
を含む。
【０００９】
第１の態様、又は第１の態様の第１から第２の可能な実装のいずれか１つに関連し、第１の態様の第３の可能な実装において、前記チャネル空間特性指示情報は、チャネル空間ドミネートパス特性指示情報である。
【００１０】
第１の態様の第３の可能な実装に関連し、第１の態様の第４の可能な実装において、前記第２基地局の前記ビームが前記測定されるＵＥに到達する時に生成される前記角度情報は、前記第２基地局の前記ビームが前記測定されるＵＥに到達する時に生成される水平角度情報と、前記第２基地局の前記ビームが前記測定されるＵＥに到達する時に生成される垂直角度情報と、を含む。
【００１１】
第１の態様の第３の可能な実装に関連し、第１の態様の第５の可能な実装において、前記空間強度情報は、空間強度レベル情報、又は空間強度がプリセットしきい値より大きいかどうかに関する比較情報を含む。
【００１２】
本発明の実施形態の第２の態様は、
第２基地局により、第１基地局により送信されたチャネル空間特性要求と測定されるユーザ装置（ＵＥ）のアイデンティティを受信するステップと、
チャネル空間特性情報を取得するために、前記第２基地局により、前記チャネル空間特性要求にしたがって、前記測定されるＵＥを測定するステップと、
前記第２基地局により、チャネル空間特性指示情報を前記第１基地局に送信するステップであって、前記チャネル空間特性指示情報は、前記測定されるＵＥの前記チャネル空間特性情報を搬送する、ステップと、
を含み、
前記チャネル空間特性情報は、前記第２基地局のビームが前記測定されるＵＥに到達する時に生成される角度情報と空間強度情報を含むチャネル空間特性情報を取得するための方法を提供する。
【００１３】
第２の態様に関連し、第２の態様の第１の可能な実装において、前記チャネル空間特性指示情報は、チャネル空間ドミネートパス特性指示情報である。
【００１４】
第２の態様の第１の可能な実装に関連し、第２の態様の第２の可能な実装において、前記第２基地局の前記ビームが前記測定されるＵＥに到達する時に生成される前記角度情報は、前記第２基地局の前記ビームが前記測定されるＵＥに到達する時に生成される水平角度情報と、前記第２基地局の前記ビームが前記測定されるＵＥに到達する時に生成される垂直角度情報とを含む。
【００１５】
第２の態様の第１の可能な実装に関連し、第２の態様の第３の可能な実装において、前記空間強度情報は、空間強度レベル情報、又は空間強度がプリセットしきい値より大きいかどうかに関する比較情報を含む。
【００１６】
本発明の実施形態の第３の態様は、基地局を提供し、前記基地局は、第１基地局であり、
チャネル空間特性要求と測定されるユーザ装置（ＵＥ）のアイデンティティを複数の第２基地局に別々に送信するように構成されている送信モジュールであって、前記チャネル空間特性要求は、前記測定されるＵＥ上でチャネル空間特性情報測定を実行するように前記第２基地局に指示するために使用される、送信モジュールと、
前記複数の第２基地局により送信されたチャネル空間特性指示情報を受信するように構成されている受信モジュールであって、前記チャネル空間特性指示情報は、前記測定されるＵＥのチャネル空間特性情報を搬送し、前記チャネル空間特性情報は、前記第２基地局のビームが前記測定されるＵＥに到達する時に生成される角度情報と空間強度情報を含む、受信モジュールと、
を含む。
【００１７】
第３の態様に関連し、第３の態様の第１の可能な実装において、前記基地局は、
前記第２基地局により送信された前記チャネル空間特性指示情報と空間チャネル品質情報とにしたがって、第２基地局が前記測定されるＵＥのためのデータ送信を実行する必要があると判定する場合、前記チャネル空間特性指示情報と前記空間チャネル品質情報とにしたがって、前記複数の第２基地局から少なくとも１つの第２基地局をデータ送信基地局として選択するように構成されている判定モジュール
をさらに含む。
【００１８】
第３の態様の第１の可能な実装に関連し、第３の態様の第２の可能な実装において、前記判定モジュールは、前記複数の第２基地局から、チャネル空間特性指示情報が見通し線であるとともに空間チャネル品質パラメータがプリセットしきい値より大きい第２基地局を前記データ送信基地局として選択するように特に構成されている。
【００１９】
第３の態様、又は第３の態様の第１から第２の可能な実装のいずれか１つに関連し、第３の態様の第３の可能な実装において、前記チャネル空間特性指示情報は、チャネル空間ドミネートパス特性指示情報である。
【００２０】
第３の態様の第３の可能な実装に関連し、第３の態様の第４の可能な実装において、前記第２基地局の前記ビームが前記測定されるＵＥに到達する時に生成される前記角度情報は、前記第２基地局の前記ビームが前記測定されるＵＥに到達する時に生成される水平角度情報と、前記第２基地局の前記ビームが前記測定されるＵＥに到達する時に生成される垂直角度情報と、を含む。
【００２１】
第３の態様の第３の可能な実装に関連し、第３の態様の第５の可能な実装において、前記空間強度情報は、空間強度レベル情報、又は空間強度がプリセットしきい値より大きいかどうかに関する比較情報を含む。
【００２２】
本発明の実施形態の第４の態様は、基地局を提供し、前記基地局は、第２基地局であり、
第１基地局により送信されたチャネル空間特性要求と測定されるユーザ装置（ＵＥ）のアイデンティティを受信するように構成されている受信モジュールと、
チャネル空間特性情報を取得するために、前記チャネル空間特性要求にしたがって、前記測定されるＵＥを測定するように構成されている測定モジュールと、
チャネル空間特性指示情報を前記第１基地局に送信するように構成されている送信モジュールであって、前記チャネル空間特性指示情報は、前記測定されるＵＥの前記チャネル空間特性情報を搬送する、送信モジュールと、
を含み、
前記チャネル空間特性情報は、前記第２基地局のビームが前記測定されるＵＥに到達する時に生成される角度情報と空間強度情報を含む。
【００２３】
第４の態様に関連し、第４の態様の第１の可能な実装において、前記チャネル空間特性指示情報は、チャネル空間ドミネートパス特性指示情報である。
【００２４】
第４の態様の第１の可能な実装に関連し、第４の態様の第２の可能な実装において、前記第２基地局の前記ビームが前記測定されるＵＥに到達する時に生成される前記角度情報は、前記第２基地局の前記ビームが前記測定されるＵＥに到達する時に生成される水平角度情報と、前記第２基地局の前記ビームが前記測定されるＵＥに到達する時に生成される垂直角度情報と、を含む。
【００２５】
第４の態様の第１の可能な実装に関連し、第４の態様の第３の可能な実装において、前記空間強度情報は、空間強度レベル情報、又は空間強度がプリセットしきい値より大きいかどうかに関する比較情報を含む。
【００２６】
本発明の実施形態の第５の態様は、基地局を提供し、前記基地局は、第１基地局であり、
チャネル空間特性要求と測定されるユーザ装置（ＵＥ）のアイデンティティを複数の第２基地局に別々に送信するように構成されている送信器であって、前記チャネル空間特性要求は、前記測定されるＵＥ上でチャネル空間特性情報測定を実行するように前記第２基地局に指示するために使用される、送信器と、
前記複数の第２基地局により送信されたチャネル空間特性指示情報を受信するように構成されている受信器であって、前記チャネル空間特性指示情報は、前記測定されるＵＥのチャネル空間特性情報を搬送し、前記チャネル空間特性情報は、前記第２基地局のビームが前記測定されるＵＥに到達する時に生成される角度情報と空間強度情報を含む、受信器と、
を含む。
【００２７】
第５の態様に関連し、第５の態様の第１の可能な実装において、前記基地局は、
前記第２基地局により送信された前記チャネル空間特性指示情報と空間チャネル品質情報とにしたがって、第２基地局が前記測定されるＵＥのためのデータ送信を実行する必要があると判定する場合、前記チャネル空間特性指示情報と前記空間チャネル品質情報とにしたがって、前記複数の第２基地局から少なくとも１つの第２基地局をデータ送信基地局として選択するように構成されているプロセッサ
をさらに含む。
【００２８】
第５の態様の第１の可能な実装に関連し、第５の態様の第２の可能な実装において、前記プロセッサは、前記複数の第２基地局から、チャネル空間特性指示情報が見通し線であるとともに空間チャネル品質パラメータがプリセットしきい値より大きい第２基地局を前記データ送信基地局として選択するように特に構成されている。
【００２９】
第５の態様、又は第５の態様の第１から第２の可能な実装のいずれか１つに関連し、第５の態様の第３の可能な実装において、前記チャネル空間特性指示情報は、チャネル空間ドミネートパス特性指示情報である。
【００３０】
第５の態様の第３の可能な実装に関連し、第５の態様の第４の可能な実装において、前記第２基地局の前記ビームが前記測定されるＵＥに到達する時に生成される前記角度情報は、前記第２基地局の前記ビームが前記測定されるＵＥに到達する時に生成される水平角度情報と、前記第２基地局の前記ビームが前記測定されるＵＥに到達する時に生成される垂直角度情報と、を含む。
【００３１】
第５の態様の第３の可能な実装に関連し、第５の態様の第５の可能な実装において、前記空間強度情報は、空間強度レベル情報、又は空間強度がプリセットしきい値より大きいかどうかに関する比較情報を含む。
【００３２】
本発明の実施形態の第６の態様は、基地局を提供し、前記基地局は、第２基地局であり、
第１基地局により送信されたチャネル空間特性要求と測定されるユーザ装置（ＵＥ）のアイデンティティを受信するように構成されている受信器と、
チャネル空間特性情報を取得するために、前記チャネル空間特性要求にしたがって、前記測定されるＵＥを測定するように構成されているプロセッサと、
チャネル空間特性指示情報を前記第１基地局に送信するように構成されている送信器であって、前記チャネル空間特性指示情報は、前記測定されるＵＥの前記チャネル空間特性情報を搬送する、送信器と、
を含み、
前記チャネル空間特性情報は、前記第２基地局のビームが前記測定されるＵＥに到達する時に生成される角度情報と空間強度情報を含む。
【００３３】
第６の態様に関連し、第６の態様の第１の可能な実装において、前記チャネル空間特性指示情報は、チャネル空間ドミネートパス特性指示情報である。
【００３４】
第６の態様の第１の可能な実装に関連し、第６の態様の第２の可能な実装において、前記第２基地局の前記ビームが前記測定されるＵＥに到達する時に生成される前記角度情報は、前記第２基地局の前記ビームが前記測定されるＵＥに到達する時に生成される水平角度情報と、前記第２基地局の前記ビームが前記測定されるＵＥに到達する時に生成される垂直角度情報と、を含む。
【００３５】
第６の態様の第１の可能な実装に関連し、第６の態様の第３の可能な実装において、前記空間強度情報は、空間強度レベル情報、又は空間強度がプリセットしきい値より大きいかどうかに関する比較情報を含む。
【００３６】
本発明の実施形態において提供されるチャネル空間特性情報を取得するための方法及び  基地局は、前記第２基地局に前記測定されるＵＥの空間特性情報測定を測定することを指示できるように、第１基地局が、チャネル空間特性要求と測定されるＵＥのアイデンティティを、複数の第２基地局に別々に送信し、前記第２基地局が、前記測定されるＵＥのチャネル空間特性情報を含むチャネル空間特性指示情報を前記第１基地局に返信した後、前記チャネル空間特性情報は、前記第１基地局及び前記第２基地局の前記ＵＥとの通信を通じてすべてのチャネル上で取得可能である。したがって、異なる角度又は異なる方向のマルチパスがよりよく識別され得るため、この利点をデータ送信に使用することにより、複数のユーザ間の干渉をデータ送信処理においてよりよく回避でき、Massive MIMO技術が、複数の基地局がＵＥと共同して通信するシステムにうまく適用される。
【００３７】
本発明の実施形態における、または従来技術における技術的ソリューションをより明瞭に説明するために、以下に、それらの実施形態、または従来技術を説明するのに必要な添付の図面を簡単に概説する。明らかに、以下の説明における添付の図面は、本発明のいくつかの実施形態を示すに過ぎず、当業者は、創造的な取り組みなしに、添付の図面に従って他の図面をさらに得ることができる。
【図面の簡単な説明】
【００３８】
【図１】図１は、本発明によるチャネル空間特性情報を取得するための方法の実施形態１の概略フローチャートである。
【図２】図２は、本発明によるチャネル空間特性情報を取得するための方法の実施形態２の概略フローチャートである。
【図３】図３は、本発明によるチャネル空間特性情報取得するための方法の実施形態３の複数基地局共同シナリオにおける同種システム(homogeneous system)の概略構成図である。
【図４】図４は、本発明によるチャネル空間特性情報を取得するための方法の実施形態４における複数基地局共同シナリオにおける異種システム(heterogeneous system)の概略構成図である。
【図５】図５は、本発明によるチャネル空間特性情報を取得するための方法の実施形態５の概略フローチャートである。
【図６】図６は、本発明による基地局の実施形態１の概略構成図である。
【図７】図７は、本発明による基地局の実施形態２の概略構成図である。
【図８】図８は、本発明による基地局の実施形態３の概略構成図である。
【図９】図９は、本発明による基地局の実施形態４の概略構成図である。
【図１０】図１０は、本発明による基地局の実施形態５の概略構成図である。
【発明を実施するための形態】
【００３９】
本発明の実施形態の目的、技術的解決策、および利点をより明瞭にするために、以下では、本発明の実施形態における添付図面を参照して本発明の実施形態における技術的解決策を明瞭かつ完全に説明する。明らかに、説明される実施形態は、本発明の実施形態のすべてではなく一部である。創作的労力なしで本発明の実施形態に基づいて当業者が取得する他のすべての実施形態は、本発明の保護範囲に含まれなければならない。
【００４０】
図１は、本発明によるチャネル空間特性情報を取得するための方法の実施形態１の概略フローチャートである。図１に示されているように、方法は、以下のステップを含む。
【００４１】
Ｓ１０１：第１基地局は、チャネル空間特性要求と測定されるＵＥのアイデンティティとを複数の第２基地局に別々に送信する。
【００４２】
チャネル空間特性要求は、測定されるＵＥ上でチャネル空間特性情報測定を実行するように第２基地局に指示するために使用される。すなわち、チャネル空間特性要求を受信した後、各第２基地局は、測定されるＵＥのチャネル空間特性情報の測定を開始する。
【００４３】
例えば、周波数分割多重(Frequency Division Duplexing, 略してFDD)又は時分割多重(Time Division Duplexing, 略してTDD)システムにおいて、第２基地局は、ＵＥにより送信されたアップリンクサウンディング(sounding)信号を監視することにより、ＵＥのチャネル空間特性情報を測定し得る。
【００４４】
Ｓ１０２：第１基地局は、複数の第２基地局により送信されたチャネル空間特性指示情報を受信し、チャネル空間特性指示情報は、測定されるＵＥのチャネル空間特性情報を搬送する。
【００４５】
具体的には、チャネル空間特性情報は、第２基地局のビームが測定されるＵＥに到達する時に生成される角度情報と空間強度情報を含む。
【００４６】
具体的な実装処理において、第２基地局が、第２基地局のビームが測定されるＵＥに到達する時に生成される角度情報を取得することは、第２基地局が、ビームが測定されるＵＥに到達したときに生成された角度を測定により直接取得することであっても、又は第２基地局が、測定により空間角度スペクトル推定を取得することであってもよい。空間角度スペクトル推定は、より完全な情報が含まれているため、空間角度スペクトル推定にしたがって、特定のビーム到達角度情報をさらに取得してもよい。
【００４７】
チャネル空間特性指示情報は、チャネル空間ドミネートパス(Dominate Path)特性指示情報でありうる。当然、これは本明細書に限定されない。もしくは、チャネル空間特性指示情報は、比較的強度の高い見通し線特性指示情報などであってもよい。
【００４８】
チャネル空間特性指示情報がチャネル空間Dominate Path特性指示情報である場合、空間強度情報は、空間Dominate Path強度情報である。
【００４９】
Massive MIMO技術が複数基地局共同ソリューションに導入された後の具体的な実装は、本実施形態において主に説明されることに留意すべきである。Massive MIMO技術が複数の基地局が共同してＵＥと通信するシステムに導入された後、基地局は、異なる角度又は異なる方向のマルチパスをよりよく識別することができる。特に、基地局といくつかのＵＥとの間のチャネルが、いくつかの特定の角度又はいくつかの特定の方向で比較的強力なマルチパスエネルギーを示す場合、データ送信は、この特性を使用して極めて効果的に実行することができる。
【００５０】
実装処理において、比較的強力なマルチパスエネルギーのいくつかの方向に基づいたそのようなビームフォーミング(beamforming)は、以下の利点を有する。（１）チャネル取得様式が簡単である。具体的には、基地局が推定によりDominate Pathチャネルを有する角度又は方向を取得することが提供されるならば、ビームフォーミングを実行することができる。具体的には、チャネル取得様式は、一般に長期チャネル応答に基づいて取得される。したがって、瞬間的なチャネル情報を得るための高密度パイロット信号は必要ではない。加えて、このDominate Pathチャネル特性は、ＵＥと基地局との間のアップリンクチャネルとダウンリンクチャネルの間のレシプロシティによって取得され得、これにより、パイロットオーバーヘッドが非常に低くなる。（２）複数のユーザ間の干渉は制御可能である。複数ユーザ間の送信干渉を良好に制御するために、すなわち、複数基地局からＵＥへのダウンリンク信号間の干渉が回避されるために、前述のチャネル取得様式に基づくビームフォーミングソリューションを使用することにより基地局のビーム方向やビーム幅を良好に制御することができる。
【００５１】
したがって、基地局とUEとの間のチャネル特性がDominate Pathチャネル特性を示す場合、前述の複数基地局共同送信様式が最も適している。
【００５２】
上記のステップが完了した後、チャネル空間特性情報が、第１基地局及び第２基地局のＵＥとの通信を通じて、すべてのチャネル上で取得できる。各第２基地局のビームが測定されるＵＥに到達したときに生成された角度情報を取得した後、第１基地局は、複数基地局からＵＥへのダウンリンク信号間の干渉を回避するために、次のデータ送信処理においてよりよい制御を発揮し得る。
【００５３】
この実施形態において、第１基地局は、測定により測定されるＵＥの空間特性情報測定を取得するように第２基地局に指示できるように、チャネル空間特性要求と測定されるＵＥのアイデンティティとを複数の第２基地局に別々に送信し、第２基地局が測定されるＵＥのチャネル空間特性情報を含むチャネル空間特性指示情報を第１基地局に返信した後、チャネル空間特性情報が、第１基地局及び第２基地局のＵＥとの通信を通じてすべてのチャネル上で取得可能である。したがって、異なる角度又は異なる方向のマルチパスがよりよく識別され得るため、この利点をデータ送信に使用することにより、複数のユーザ間の干渉をデータ送信処理においてよりよく回避でき、Massive MIMO技術が、複数の基地局がＵＥと共同して通信するシステムにうまく適用される。
【００５４】
前述の実施形態に基づいて、複数の第２基地局により送信されたチャネル空間特性指示情報を受信した後、第２基地局を選択して、測定されるＵＥのためのデータ送信を実行する必要がある、と第２基地局により送信されたチャネル空間特性指示情報と空間チャネル品質情報とにしたがって、第１基地局が判定した場合、第１基地局は、チャネル空間特性指示情報と空間チャネル品質情報とにしたがって、複数の第２基地局から少なくとも１つの第２基地局を、データ送信基地局として選択する。そして、データ送信基地局としてふるまう第１基地局と第２基地局は、データ送信を共同して実行する。
【００５５】
具体的には、第１基地局は、第２基地局により送信されたチャネル空間特性指示情報における空間強度情報に主に従って、測定されるＵＥのためのデータ送信を実行するために第２基地局を選択する必要があるかどうかを判定する。例えば、複数の第２基地局により送信された空間強度情報において、プリセット条件を満たす空間強度情報が存在するならば、第１基地局は、複数の第２基地局からデータ送信基地局を選択し、又は、複数の第２基地局により送信された空間強度情報のいずれもプリセット条件を満たさないならば、データ送信基地局は選択されない。
【００５６】
第２基地局は、第１基地局の共同基地局である。情報は、通信インターフェースを使用して、第１基地局と第２基地局との間で送信される。チャネル空間特性指示情報は、通信インターフェース上に構成されることに留意すべきである。
【００５７】
具体的には、この実施形態において、第１基地局は、データ送信基地局を判定可能な基地局であり、第２基地局は、データ送信基地局の候補基地局として使用される。
【００５８】
さらに、プリセット条件を満たす第２基地局は、第２基地局により送信されたチャネル空間特性指示及びチャネル品質情報にしたがって、データ送信基地局として選択され得る。しかし、本明細書に限定されない。具体的な実装処理において、第１基地局が、チャネル空間特性指示情報と空間チャネル品質情報とにしたがって、複数の第２基地局から少なくとも１つの第２基地局を、データ送信基地局をして選択することは、具体的には以下の通りである：第１基地局は、複数の第２基地局から、チャネル空間特性指示情報が見通し線(line of sight, 略してLOS)であるとともに空間チャネル品質パラメータがプリセットしきい値より大きい第２基地局をデータ送信基地局として選択すること。
【００５９】
空間チャネル品質パラメータは、基準信号受信品質(Reference Signal Receiving Quality, 略してRSRQ)であり得る。
【００６０】
具体的には、第２基地局のビームが測定されるＵＥに到達する時に生成される角度情報は、第２基地局のビームが測定されるＵＥに到達する時に生成される水平角度情報と、第２基地局のビームが測定されるＵＥに到達する時に生成される垂直角度情報と、を含む。
【００６１】
空間強度情報は、空間強度レベル情報、又は空間強度がプリセットしきい値より大きいかどうかに関する比較情報を含む。具体的な実装処理において、空間強度レベル情報が搬送されるかどうか、又は空間強度がプリセットしきい値より大きいかどうかに関する比較情報が搬送されるかどうかが、事前に構成されてもよい。空間強度レベル情報が搬送されるならば、異なるレベルのパラメータがプリセットされ、又は、空間強度がプリセットしきい値より大きいかどうかに関する比較情報が搬送されるならば、プリセットしきい値が事前に設定される。プリセットしきい値は、空間強度が強いか弱いかを判定するために使用される。
【００６２】
チャネル空間特性指示情報が、チャネル空間Dominate Path特性指示情報である場合、空間強度情報は、空間Dominate Path強度レベル情報、又は空間Dominate Path強度がプリセットしきい値より大きいかどうかに関する比較情報を具体的に含み得る。
【００６３】
より好適には、通信インターフェースは、Ｘ２インターフェースである。チャネル空間特性は、ゆっくりと変化する(slowly-changing)特性であることに留意すべきである。チャネル空間特性は、数百ミリ秒(ms)以上であり、Ｘ２インターフェースを使用する送信に適している。当然、これは本明細書に限定されない。
【００６４】
加えて、前述の実施形態は、同種システム又は異種システムなどの異なったシステムに適用され得る。
【００６５】
図２は、本発明によるチャネル空間特性情報を取得するための方法の実施形態２の概略フローチャートである。図３は、本発明によるチャネル空間特性情報取得するための方法の実施形態３の複数基地局共同シナリオにおける同種システム(homogeneous system)の概略構成図である。図４は、本発明によるチャネル空間特性情報を取得するための方法の実施形態４における複数基地局共同シナリオにおける異種システム(heterogeneous system)の概略構成図である。図３及び図４の円は、基地局のカバレージエリアを表している。
【００６６】
図３を参照すると、同種(Homogeneous)システムにおいて、前述の第１基地局は、サービング基地局(Serving eNodeB)０１である。第２基地局は、第１基地局の近傍基地局(Neighboring eNodeB)０２である。サービング基地局０１と基地局の近傍基地局０２の双方ともＵＥ０３と情報を交換し得る。
【００６７】
図２に示されているように、図２における「近傍基地局」は、複数の近傍基地局の内の１つを表している。一例としてＸ２インターフェースを使用すると、方法は、以下を含む：
【００６８】
Ｓ２０１：複数セル共同の開始段階において、サービング基地局は、Ｘ２インターフェースを使用して、チャネル空間特性要求と測定されるＵＥのアイデンティティを、複数の近傍基地局に送信する。
【００６９】
複数の近傍基地局は、サービング基地局の共同基地局である。
【００７０】
Ｓ２０２：チャネル空間特性要求と測定されるＵＥのアイデンティティを受信した後、複数の近傍基地局は、測定されるＵＥ上でチャネル空間特性情報測定の実行を開始する。具体的には、ＵＥのチャネル空間特性情報が、ＵＥにより送信されたアップリンクサウンディング情報を監視することにより測定され得る。
【００７１】
Ｓ２０３：複数の近傍基地局は、測定されるＵＥのチャネル空間特性情報をチャネル空間特性指示情報に追加し、Ｘ２インターフェースを使用して、チャネル空間特性指示情報をサービング基地局に送信する。
【００７２】
具体的には、近傍基地局は、「チャネル空間特性指示」情報にしたがって、測定されるＵＥのチャネル空間特性情報を、Ｘ２インターフェースに送信する。
【００７３】
Ｓ２０４：サービング基地局は、近傍基地局により送信されたチャネル空間特性指示情報と空間チャネル品質情報にしたがって、測定されるＵＥのためのデータ送信を実行するために、近傍基地局を選択する必要があるかどうかを判定する。近傍基地局を選択する必要がある場合、Ｓ２０５を実行し、近傍基地局を選択する必要が無い場合、処理を終了する。
【００７４】
Ｓ２０５：サービング基地局は、複数の近傍基地局により送信されたチャネル空間特性指示情報と、他の空間チャネル品質情報にしたがって、複数の近傍基地局から少なくとも１つをデータ送信基地局として選択する。
【００７５】
同種システムにおいて、サービング基地局は一般に、ＵＥによりアクセスされる基地局(eNodeB)である。サービング基地局は、ＵＥのための、制御情報送信、ブロードキャスト情報送信、ハンドオーバなどを担当する。
【００７６】
図４を参照すると、異種システムにおいて、前述の第１基地局は、マクロ基地局(Macro eNodeB)０４である。第２基地局は、第１基地局のカバレージエリア内のピコ基地局(Pico eNodeB)０５である。マクロ基地局０４とピコ基地局０５の双方ともＵＥ０３と情報を交換し得る。
【００７７】
異種システムの場合、図２に示されている実施形態におけるサービング基地局は、Macro eNodeBに置き換えられ、近傍基地局は、Pico eNodeBに置き換えられる。同様に、異種システムにおいて、マクロ基地局は、一般に、ＵＥによりアクセスされる基地局(eNodeB)である。サービング基地局は、ＵＥのための、制御情報送信、ブロードキャスト情報送信、ハンドオーバなどを担当する。
【００７８】
図５は、本発明によるチャネル空間特性情報を取得するための方法の実施形態５の概略フローチャートである。この方法は、前述の第２基地局により実行される。前述の実施形態に対応して、この方法は、以下を含む。
【００７９】
Ｓ５０１：第２基地局は、第１基地局により送信されたチャネル空間特性要求と、測定されるＵＥのアイデンティティを受信する。
【００８０】
Ｓ５０２：第２基地局は、チャネル空間特性情報を取得できるように、チャネル空間特性要求にしたがって、測定されるＵＥを測定する。
【００８１】
Ｓ５０３：第２基地局は、チャネル空間特性指示情報を第１基地局に送信し、チャネル空間特性指示情報は、測定されるＵＥのチャネル空間特性情報を搬送する。
【００８２】
チャネル空間特性情報は、第２基地局のビームが測定されるＵＥに到達する時に生成される角度情報と空間強度情報を含む。
【００８３】
具体的には、前述の実施形態において説明されているように、第１基地局が、データ送信基地局として第２基地局を選択する必要があると判定したならば、第１基地局は、チャネル空間特性指示情報に従うとともに空間チャネル品質情報を参照して、複数の第２基地局からデータ送信基地局を選択する。
【００８４】
前述の実施形態において、第２基地局は、第１基地局の共同基地局である。情報は、通信インターフェースを使用して、第１基地局と第２基地局との間で送信される。チャネル空間特性指示情報は、通信インターフェース上に構成される。
【００８５】
この実施形態において、第２基地局は、第１基地局により送信されたチャネル空間特性要求と測定されるＵＥのアイデンティティにしたがって、測定されるＵＥの空間特性情報を測定し、測定されるＵＥのチャネル空間特性情報を含むチャネル空間特性指示情報を第１基地局に返信する。この場合において、チャネル空間特性情報は、第１基地局及び第２基地局のＵＥとの通信を通じてすべてのチャネル上で取得可能である。したがって、異なる角度又は異なる方向のマルチパスがよりよく識別され得るため、この利点をデータ送信に使用することにより、複数のユーザ間の干渉をデータ送信処理においてよりよく回避でき、Massive MIMO技術が、複数の基地局がＵＥと共同して通信するシステムにうまく適用される。
【００８６】
チャネル空間特性指示情報は、チャネル空間ドミネートパス(Dominate Path)特性指示情報であり得る。当然、これは本明細書に限定されない。もしくは、チャネル空間特性指示情報は、比較的強度の高い見通し線特性指示情報などであってもよい。
【００８７】
チャネル空間特性指示情報がチャネル空間Dominate Path特性指示情報である場合、空間強度情報は、空間Dominate Path強度情報である。
【００８８】
具体的には、第２基地局のビームが測定されるＵＥに到達する時に生成される角度情報は、第２基地局のビームが測定されるＵＥに到達する時に生成される水平角度情報と、第２基地局のビームが測定されるＵＥに到達する時に生成される垂直角度情報と、を含む。
【００８９】
空間強度情報は、空間強度レベル情報、又は空間強度がプリセットしきい値より大きいかどうかに関する比較情報を含む。具体的な実装処理において、空間強度レベル情報が搬送されるかどうか、又は空間強度がプリセットしきい値より大きいかどうかに関する比較情報が搬送されるかどうかが、事前に構成されてもよい。空間強度レベル情報は搬送されるならば、異なるレベルのパラメータがプリセットされ、又は、空間強度がプリセットしきい値より大きいかどうかに関する比較情報が搬送されるならば、プリセットしきい値が事前に設定される。プリセットしきい値は、空間強度が強いか弱いかを判定するために使用される。
【００９０】
より具体的には、通信インターフェースは、Ｘ２インターフェースである。
【００９１】
別の実施形態において、同種システムにおいて、前述の第１基地局は、サービング基地局(Serving eNodeB)であり、第２基地局は、前述の第１基地局の近傍基地局(Neighboring eNodeB)である。
【００９２】
異種システムにおいて、前述の第１基地局は、マクロ基地局(Macro eNodeB)であり、第２基地局は、第１基地局のカバレージエリア内のピコ基地局(Pico eNodeB)である。
【００９３】
具体的な実装処理については、前述の実施形態を参照されたい。ここでは詳細は説明しない。
【００９４】
図６は、本発明による基地局の実施形態１の概略構成図である。基地局は、前述の第１基地局であり、具体的には、送信モジュール６０１と受信モジュール６０２を含む。
【００９５】
送信モジュール６０１は、チャネル空間特性要求と測定されるユーザ装置（ＵＥ）のアイデンティティを複数の第２基地局に別々に送信するように構成されており、チャネル空間特性要求は、測定されるＵＥ上でチャネル空間特性情報測定を実行するように第２基地局に指示するために使用される。
【００９６】
受信モジュール６０２は、複数の第２基地局により送信されたチャネル空間特性指示情報を受信するように構成されており、チャネル空間特性指示情報は、測定されるＵＥのチャネル空間特性情報を搬送し、チャネル空間特性情報は、第２基地局のビームが測定されるＵＥに到達する時に生成される角度情報と空間強度情報を含む。
【００９７】
この実施形態において、第１基地局は、測定されるＵＥの空間特性情報測定を測定により取得するように第２基地局に指示できるように、チャネル空間特性要求と測定されるＵＥのアイデンティティとを複数の第２基地局に別々に送信し、第２基地局が測定されるＵＥのチャネル空間特性情報を含むチャネル空間特性指示情報を第１基地局に返信した後、チャネル空間特性情報は、第１基地局及び第２基地局のＵＥとの通信を通じてすべてのチャネル上で取得可能である。したがって、異なる角度又は異なる方向のマルチパスがよりよく識別され得るため、この利点をデータ送信に使用することにより、複数のユーザ間の干渉をデータ送信処理においてよりよく回避でき、Massive MIMO技術が、複数の基地局がＵＥと共同して通信するシステムにうまく適用される。
【００９８】
図７は、本発明による基地局の実施形態２の概略構成図である。図６に基づいて、基地局は、第２基地局により送信されたチャネル空間特性指示情報と空間チャネル品質情報とにしたがって、第２基地局が測定されるＵＥのためのデータ送信を実行する必要があると判定する場合、チャネル空間特性指示情報と空間チャネル品質情報とにしたがって、複数の第２基地局から少なくとも１つの第２基地局をデータ送信基地局として選択するように構成された判定モジュール６０３をさらに含む。
【００９９】
より具体的には、判定モジュール６０３は、複数の第２基地局から、チャネル空間特性指示情報が見通し線であるとともに、空間チャネル品質パラメータがプリセットしきい値より大きい第２基地局をデータ送信基地局として選択する。
【０１００】
もしくは、チャネル空間特性指示情報は、チャネル空間Dominate Path特性指示情報である。
【０１０１】
第２基地局のビームが測定されるＵＥに到達する時に生成される角度情報は、第２基地局のビームが測定されるＵＥに到達する時に生成される水平角度情報と、第２基地局のビームが測定されるＵＥに到達する時に生成される垂直角度情報と、を含む。
【０１０２】
空間強度情報は、空間強度レベル情報、又は空間強度がプリセットしきい値より大きいかどうかに関する比較情報を含む。
【０１０３】
図８は、本発明による基地局の実施形態３の概略構成図である。この実施形態における基地局は、前述の第２基地局であり、具体的には、受信モジュール８０１、測定モジュール８０２、及び送信モジュール８０３を含む。
【０１０４】
受信モジュール８０１は、第１基地局により送信されたチャネル空間特性要求と測定されるユーザ装置（ＵＥ）のアイデンティティを受信するように構成されている。
【０１０５】
測定モジュール８０２は、チャネル空間特性情報を取得するために、チャネル空間特性要求にしたがって、測定されるＵＥを測定するように構成されている。
【０１０６】
送信モジュール８０３は、チャネル空間特性指示情報を第１基地局に送信するように構成されており、チャネル空間特性指示情報は、測定されるＵＥのチャネル空間特性情報を搬送し、
チャネル空間特性情報は、第２基地局のビームが測定されるＵＥに到達する時に生成される角度情報と空間強度情報を含む。
【０１０７】
この実施形態において、第２基地局は、第１基地局により送信されたチャネル空間特性要求と、測定されるＵＥのアイデンティティにしたがって、測定されるＵＥの空間特性情報を測定し、測定されるＵＥのチャネル空間特性情報を含むチャネル空間特性指示情報を第１基地局に返信する。この場合において、チャネル空間特性情報は、第１基地局及び第２基地局のＵＥとの通信を通じてすべてのチャネル上で取得可能である。したがって、異なる角度又は異なる方向のマルチパスがよりよく識別され得るため、この利点をデータ送信に使用することにより、複数のユーザ間の干渉をデータ送信処理においてよりよく回避でき、Massive MIMO技術が、複数の基地局がＵＥと共同して通信するシステムにうまく適用される。
【０１０８】
さらに、チャネル空間特性指示情報は、チャネル空間Dominate Path特性指示情報である。
【０１０９】
第２基地局のビームが測定されるＵＥに到達する時に生成される角度情報は、第２基地局のビームが測定されるＵＥに到達する時に生成される水平角度情報と、第２基地局のビームが測定されるＵＥに到達する時に生成される垂直角度情報と、を含む。
【０１１０】
空間強度情報は、空間強度レベル情報、又は空間強度がプリセットしきい値より大きいかどうかに関する比較情報を含む。
【０１１１】
図９は、本発明による基地局の実施形態４の概略構成図である。この実施形態における基地局は、前述の第１基地局であり、具体的には、送信器９０１と受信器９０２を含む。
【０１１２】
送信器９０１は、チャネル空間特性要求と測定されるユーザ装置（ＵＥ）のアイデンティティを複数の第２基地局に別々に送信するように構成されており、チャネル空間特性要求は、測定されるＵＥ上でチャネル空間特性情報測定を実行するように、第２基地局に指示するために使用される。
【０１１３】
受信器９０２は、複数の第２基地局により送信されたチャネル空間特性指示情報を受信するように構成されており、チャネル空間特性指示情報は、測定されるＵＥのチャネル空間特性情報を搬送し、チャネル空間特性情報は、第２基地局のビームが測定されるＵＥに到達する時に生成される角度情報と空間強度情報を含む。
【０１１４】
この実施形態において、第１基地局は、測定されるＵＥの空間特性情報測定を測定により取得するように第２基地局に指示できるように、チャネル空間特性要求と測定されるＵＥのアイデンティティとを複数の第２基地局に別々に送信し、第２基地局が測定されるＵＥのチャネル空間特性情報を含むチャネル空間特性指示情報を第１基地局に返信した後、チャネル空間特性情報は、第１基地局及び第２基地局のＵＥとの通信を通じてすべてのチャネル上で取得可能である。したがって、異なる角度又は異なる方向のマルチパスがよりよく識別され得るため、この利点をデータ送信に使用することにより、複数のユーザ間の干渉をデータ送信処理においてよりよく回避でき、Massive MIMO技術が、複数の基地局がＵＥと共同して通信するシステムにうまく適用される。
【０１１５】
図９を参照すると、基地局は、第２基地局により送信されたチャネル空間特性指示情報と空間チャネル品質情報とにしたがって、第２基地局が測定されるＵＥのためのデータ送信を実行する必要があると判定する場合、チャネル空間特性指示情報と空間チャネル品質情報とにしたがって、複数の第２基地局から少なくとも１つの第２基地局をデータ送信基地局として選択するように構成されているプロセッサ９０３をさらに含む。
【０１１６】
プロセッサ９０３は、複数の第２基地局から、チャネル空間特性指示情報が見通し線であるとともに空間チャネル品質パラメータがプリセットしきい値より大きい第２基地局をデータ送信基地局として選択するように特に構成されている。
【０１１７】
チャネル空間特性指示情報は、チャネル空間Dominate Path特性指示情報であり得る。
【０１１８】
第２基地局のビームが測定されるＵＥに到達する時に生成される角度情報は、第２基地局のビームが測定されるＵＥに到達する時に生成される水平角度情報と、第２基地局のビームが測定されるＵＥに到達する時に生成される垂直角度情報と、を含む。
【０１１９】
空間強度情報は、空間強度レベル情報、又は空間強度がプリセットしきい値より大きいかどうかに関する比較情報を含む。
【０１２０】
基地局は、前述の方法の実施形態を実装するように構成される。基地局の実装原理及び技術的効果は、方法の実施形態に置けるものと同様である。詳細はここでは説明しない。
【０１２１】
図１０は、本発明による基地局の実施形態５の概略構成図である。この実施形態における基地局は、前述の第２基地局であり、具体的には、受信器１１０、プロセッサ１１１、及び送信器１１２を含む。
【０１２２】
受信器１１０は、第１基地局により送信されたチャネル空間特性要求と測定されるユーザ装置（ＵＥ）のアイデンティティを受信するように構成されている。
【０１２３】
プロセッサ１１１は、チャネル空間特性情報を取得するために、チャネル空間特性要求にしたがって、測定されるＵＥを測定するように構成されている。
【０１２４】
送信器１１２は、チャネル空間特性指示情報を第１基地局に送信するように構成されており、チャネル空間特性指示情報は、測定されるＵＥのチャネル空間特性情報を搬送し、
チャネル空間特性情報は、第２基地局のビームが測定されるＵＥに到達する時に生成される角度情報と空間強度情報を含む。
【０１２５】
基地局は、前述の方法の実施形態を実装するように構成される。基地局の実装原理及び技術的効果は、方法の実施形態におけるそれらと同様である。詳細はここでは説明しない。
【０１２６】
チャネル空間特性指示情報は、チャネル空間Dominate Path特性指示情報であり得る。
【０１２７】
第２基地局のビームが測定されるＵＥに到達する時に生成される角度情報は、第２基地局のビームが測定されるＵＥに到達する時に生成される水平角度情報と、第２基地局のビームが測定されるＵＥに到達する時に生成される垂直角度情報とを含む。
【０１２８】
空間強度情報は、空間強度レベル情報、又は空間強度がプリセットしきい値より大きいかどうかに関する比較情報を含む。
【０１２９】
当業者であれば、実施形態のステップの全部または一部は、ハードウェア又は関連するハードウェアに指示するプログラムにより実装され得ることは理解し得る。プログラムは、コンピュータ可読記憶媒体に格納され得る。
プログラムが実行されると、方法の実施形態のステップが実施される。前述の格納媒体は、ROM、RAM、磁気ディスク、又は光学ディスクなどのプログラムを格納可能な任意の媒体を含む。
【０１３０】
最後に、前述の実施形態が、単に、本発明の技術的解決策を説明するためのものであって、本発明を限定するためのものではないことに留意されたい。本発明が、前述の実施形態を参照して詳細に説明されたが、当業者は、本発明の実施形態の技術的解決策の範囲から逸脱せずに、彼らが前述の実施形態において説明された技術的解決策に対する変更を行い、あるいは、技術的解決策のいくつかのまたはすべての技術的特徴に対する同等の置換を行うことができることを理解すべきである。
【符号の説明】
【０１３１】
６０１  送信モジュール
６０２  受信モジュール
６０３  判定モジュール
８０１  受信モジュール
８０２  測定モジュール
８０３  送信モジュール
９０１  送信器
９０２  受信器
９０３  プロセッサ
１１０  受信器
１１１  プロセッサ
１１２  送信器
【図１】
0006542370.tif 000002
【図２】
0006542370.tif 000003
【図３】
0006542370.tif 000004
【図４】
0006542370.tif 000005
【図５】
0006542370.tif 000006
【図６】
0006542370.tif 000007
【図７】
0006542370.tif 000008
【図８】
0006542370.tif 000009
【図９】
0006542370.tif 000010
【図１０】
0006542370.tif 000011